(57)【要約】      （修正有）【課題】扉固定部材を垂直方向に保持する場合でも、自重により前記扉固定部材が抜落ちることなく保持可能な保持部材が設けられた筐体を有する電子機器装置を提供する。【解決手段】電子機器を収納する筐体１を備えた電子機器装置に於いて、前記筐体は電子機器を実装する筐体本体２と、該筐体本体の開口部を開閉する扉３とで構成され、前記筐体本体は受け部材８を有し、前記扉は内面に固着され切欠きが形成された保持孔を有する保持部材１１と、該保持部材に保持可能であり、該保持部材と前記受け部材間に掛渡らせることで扉を開状態で固定可能な棒状の扉固定部材１５とを有し、該扉固定部材は前記保持部材に挿脱可能な係合溝を有し、該係合溝を前記切欠きを通して前記保持孔に係合させることで前記保持部材が前記扉固定部材を保持可能とした。【選択図】図１
2012199459.tif 000002
【特許請求の範囲】
【請求項１】
電子機器を収納する筐体を備えた電子機器装置に於いて、前記筐体は電子機器を実装する筐体本体と、該筐体本体の開口部を開閉する扉とで構成され、前記筐体本体は受け部材を有し、前記扉は内面に固着され切欠きが形成された保持孔を有する保持部材と、該保持部材に保持可能であり、該保持部材と前記受け部材間に掛渡らせることで扉を開状態で固定可能な棒状の扉固定部材とを有し、該扉固定部材は前記保持部材に挿脱可能な係合溝を有し、該係合溝を前記切欠きを通して前記保持孔に係合させることで前記保持部材が前記扉固定部材を保持可能としたことを特徴とする電子機器装置。
【発明の詳細な説明】
【技術分野】
【０００１】
本発明は、電子機器を収納する筐体を有する電子機器装置、特に扉を開状態で固定可能な筐体を有する電子機器装置に関するものである。
【背景技術】
【０００２】
図７、図８に於いて、従来の筐体について説明する。
【０００３】
筐体１は、前面が開放された箱形状の筐体本体２と、該筐体本体２の開口部を開閉する扉３とで構成される。前記筐体本体２は、底板２ａ、天板２ｂ、右側面板２ｃ、左側面板２ｄ及び図示しない背面板より構成され、又前記扉３の内面には前記筐体本体２の開口部の内径よりも小さい内枠４が設けられており、該内枠４下枠部の上面には保持部材であるステーホルダ５が設けられている。
【０００４】
該ステーホルダ５は前記内枠４に溶接等で固着された断面Ｌ字状の板材であり、上下方向に貫通するステー固定孔（図示せず）及びステー保持孔６が穿設され、前記ステー固定孔には両端が下方に屈曲された棒状材であるステー７の一端が嵌合され、該ステー７は嵌合された一端を中心に水平方向に回転自在に取付けられている。
【０００５】
又、前記底板２ａにはクランク状に屈曲された受け部材であるステー受け８が設けられ、該ステー受け８の上面には前記ステー７の他端が挿脱可能なステー保持孔９が穿設されている。
【０００６】
前記筐体１が閉状態、或は、開状態でも前記扉３の固定が必要ない場合には、前記ステー７の自由端が前記ステーホルダ５のステー保持孔６に挿入されることで、前記ステー７が前記ステーホルダ５に保持され、前記ステー７が自重により前記ステー保持孔６から抜けない状態となる。
【０００７】
又、前記扉３を開状態で固定する場合には、前記ステー７の自由端を前記ステー保持孔６より抜脱し、ステー固定孔（図示せず）を中心に前記ステー７を水平方向に回転させ、前記ステー受け８の前記ステー保持孔９に自由端を挿入することで、前記ステー７が前記ステー受け８に固定され、又前記ステー７は自重により前記ステー保持孔９から抜けない状態となる。前記ステー７が固定されることで、図８の様に該ステー７により前記扉３の動きが拘束され、該扉３が開状態で固定される。
【０００８】
然し乍ら、前記筐体１の構造によっては、前記扉３を閉じた際に前記ステーホルダ５が前記筐体１に実装された電子機器に干渉する場合があった。
【先行技術文献】
【特許文献】
【０００９】
【特許文献１】特開２０００−７７８６０号公報
【発明の概要】
【発明が解決しようとする課題】
【００１０】
本発明は斯かる実情に鑑み、扉固定部材を垂直方向に保持する場合でも、自重により前記扉固定部材が抜落ちることなく保持可能な保持部材が設けられた筐体を有する電子機器装置を提供するものである。
【課題を解決するための手段】
【００１１】
本発明は、電子機器を収納する筐体を備えた電子機器装置に於いて、前記筐体は電子機器を実装する筐体本体と、該筐体本体の開口部を開閉する扉とで構成され、前記筐体本体は受け部材を有し、前記扉は内面に固着され切欠きが形成された保持孔を有する保持部材と、該保持部材に保持可能であり、該保持部材と前記受け部材間に掛渡らせることで扉を開状態で固定可能な棒状の扉固定部材とを有し、該扉固定部材は前記保持部材に挿脱可能な係合溝を有し、該係合溝を前記切欠きを通して前記保持孔に係合させることで前記保持部材が前記扉固定部材を保持可能とした電子機器装置に係るものである。
【発明の効果】
【００１２】
本発明によれば、電子機器を収納する筐体を備えた電子機器装置に於いて、前記筐体は電子機器を実装する筐体本体と、該筐体本体の開口部を開閉する扉とで構成され、前記筐体本体は受け部材を有し、前記扉は内面に固着され切欠きが形成された保持孔を有する保持部材と、該保持部材に保持可能であり、該保持部材と前記受け部材間に掛渡らせることで扉を開状態で固定可能な棒状の扉固定部材とを有し、該扉固定部材は前記保持部材に挿脱可能な係合溝を有し、該係合溝を前記切欠きを通して前記保持孔に係合させることで前記保持部材が前記扉固定部材を保持可能としたので、該扉固定部材が前記係合溝と前記保持孔との係合により保持され、前記扉固定部材の自重により、或は筐体に振動が発生した場合でも前記扉固定部材が前記切欠きより抜落ちることなく前記保持部材に保持されるという優れた効果を発揮する。
【図面の簡単な説明】
【００１３】
【図１】本発明の実施例に係る扉が固定されない状態を示す筐体の斜視図である。
【図２】本発明の実施例に係る扉が固定された状態を示す筐体の斜視図である。
【図３】本発明の実施例に係るステーホルダを示す斜視図である。
【図４】本発明の実施例に係るステーを示す斜視図である。
【図５】本発明の実施例に係るステーが保持状態であることを示すステーとステーホルダの斜視図である。
【図６】本発明の実施例に係るステーが抜脱された状態であることを示すステーとステーホルダの斜視図である。
【図７】従来の扉が固定されていない状態を示す筐体の斜視図である。
【図８】従来の扉が固定された状態を示す筐体の斜視図である。
【発明を実施するための形態】
【００１４】
以下、図面を参照しつつ本発明の実施例を説明する。
【００１５】
図１〜図６に於いて、本発明に係る実施例について説明する。尚、図１〜図６中、図７、図８中と同等のものには同符号を付し、その説明を省略する。
【００１６】
筐体１は筐体本体２と扉３とで構成され、該扉３の上面端部及び下面端部に設けられた図示しないヒンジピンを介して、前記扉３が前記筐体本体２の開口部を自在に開閉できる様になっている。
【００１７】
該筐体本体２は底板２ａ、天板２ｂ、右側面板２ｃ、左側面板２ｄ及び図示しない背面板より構成され、前記扉３の内面には前記筐体本体２の開口部よりも小さい内枠４が設けられている。又、該内枠４の側枠部と平行で、下端が該内枠４の下枠部に当接する様ステーホルダ１１が前記扉３の内面に溶接等により固着されている。
【００１８】
該ステーホルダ１１は、金属製の帯板材の上下両端部を前記扉３の内面に垂直となる様直角に屈曲したものであり、屈曲された上端部、下端部により上片１１ａ及び下片１１ｂが形成され、上下に長いコ字形状をしている。該下片１１ｂにはステー固定孔１２が穿設され、前記内枠４の下枠部には前記ステー固定孔１２と同径の孔（図示せず）が同心に穿設されており、該孔と前記ステー固定孔１２は連通している。又、前記上片１１ａにはステー保持孔１３が穿設されると共に切欠き部１４が形成されており、該切欠き部１４の幅は前記ステー保持孔１３の直径より小さく、前記ステー保持孔１３は前記切欠き部１４を介して外部に開放されている。
【００１９】
前記ステーホルダ１１の前記ステー固定孔１２には扉固定部材であるステー１５が挿通され、該ステー１５は前記ステー固定孔１２を中心として水平方向に回転可能、且つ前記上片１１ａから離反する方向に傾動可能となっている。尚、前記ステー固定孔１２の径は前記ステー１５が所要範囲で自在に傾動できる様に該ステー１５の径に対して余裕があり、又断面は円である。前記ステー保持孔１３は前記ステー１５の外径よりも大きく、後述する細径部１８の外径は前記切欠き部１４の幅よりも小さくなっている。
【００２０】
前記ステー１５は円筒状の棒材であり、両端部が直角に屈曲されることでコ字形状となっており、上端部の挿脱部１５ａ、下端部の軸部１５ｂ、及び垂直部１５ｃを形成している。前記挿脱部１５ａの先端は面取りされ、前記軸部１５ｂの先端部、及び前記垂直部１５ｃの下端部には、それぞれ止め輪１６，１７が取付けられている。該止め輪１６，１７は、一部が開放されたリング形状の金属片であり、開放部より前記ステー１５に嵌込むことで取付けられ、前記止め輪１６，１７間の範囲で前記ステー１５が前記ステー固定孔１２を摺動し、変位する様になっている。尚、前記止め輪１６，１７の嵌込み位置には全周に亘って溝が刻設されており、該溝に前記止め輪１６，１７を弾性変形させて嵌込むことで抜止めされ、又該止め輪１６，１７が軸方向に位置ずれしない様になっている。
【００２１】
又、前記垂直部１５ｃの上部には、全周に亘って刻設された係合溝である細径部１８が形成され、該細径部１８の径は前記した様に前記切欠き部１４の幅よりも僅かに小さくなっている。
【００２２】
前記筐体本体２の前記底板２ａの上面には、金属製の板材をクランク状に屈曲して成形したステー受け８が溶接或はネジ等により固着され、該ステー受け８には円形のステー保持孔９が穿設されており、該ステー保持孔９の径は前記挿脱部１５ａの径よりも僅かに大きくなっている。
【００２３】
図５は、通常状態、即ち前記扉３が開状態で固定されず、前記ステー１５が前記ステーホルダ１１に保持された状態を示している。通常状態に於いては、前記細径部１８が前記ステー保持孔１３に嵌合し、前記ステー１５が前記ステーホルダ１１に保持されている。
【００２４】
具体的には、前記ステー１５が前記ステーホルダ１１に保持状態で、前記細径部１８が下方へスライドする様な構造となっており、前記細径部１８が前記ステー保持孔１３から下方へずれることにより、保持力が強化される。
【００２５】
又、前記扉３を開状態で固定する場合には、図６に示される様に、前記ステー１５を前記上片１１ａから離反する方向に傾動させることで、前記細径部１８が前記切欠き部１４を通して前記ステー保持孔１３より抜脱される。
【００２６】
前記ステー１５の抜脱後、該ステー１５が前記上片１１ａから離反する方向に更に傾動され、又前記軸部１５ｂを中心に水平方向に回転され、前記ステー１５の挿脱部１５ａが前記ステー保持孔９に挿入され、前記ステー１５が前記ステー受け８と前記下片１１ｂとの間で固定される。前記ステー１５が固定されることで、該ステー１５により前記扉３の動きが拘束され、該扉３が開状態で固定される。尚、前記ステー１５の傾動中、或は回転中に、該ステー１５から手が離れる等により、該ステー１５が自重により倒れた場合であっても、前記止め輪１６が前記下片１１ｂの下面と接触することで前記ステー１５の動きが規制され、該ステー１５が前記ステー固定孔１２から抜落ちるのを防止することができる。
【００２７】
開状態で固定した前記扉３を閉じる際には、上記した処理と逆の手順で処理が行われる。前記挿脱部１５ａを前記ステー保持孔９より抜脱し、前記ステー１５を水平方向に回転させ、前記上片１１ａに近づく方向に立上げ、前記細径部１８を前記切欠き部１４を通して前記ステー保持孔１３に挿入し、該ステー保持孔１３と前記細径部１８とを嵌合させる。前記ステー１５の挿入後は、該ステー１５から手を離すことで、前記細径部１８と前記ステー保持孔１３との係合により前記ステー１５が前記ステーホルダ１１に保持される。
【００２８】
上述の様に、本実施例では、前記ステーホルダ１１の上片１１ａに前記ステー保持孔１３を外部に開放する前記切欠き部１４を形成し、前記ステー１５の垂直部１５ｃ上部に前記切欠き部１４の幅よりも細径となる様全周に亘って係合溝を刻設して前記細径部１８を形成し、該細径部１８を前記切欠き部１４を通して前記ステー保持孔１３に挿入し、嵌合させる様にしたので、前記ステー１５が前記細径部１８と前記ステー保持孔１３との係合により前記ステーホルダ１１に保持され、前記ステー１５の自重、或は前記筐体１に対して振動が発生した場合でも、前記ステー１５が前記切欠き部１４より抜落ち、前記ステー１５が前記ステーホルダ１１から抜脱されるのを防止することができる。
【００２９】
尚、本実施例では、前記ステー１５の垂直部１５ｃ上部に全周に亘って係合溝を刻設することで前記細径部１８を形成しているが、全周に亘る係合溝の代わりに軸心に対して対称な２箇所に軸心に対して直交する係合溝を刻設してもよい。この時、前記切欠き部１４の幅を前記細径部１８の直径よりも大きくすると共に、前記直交する係合溝を介して前記細径部１８が前記切欠き部１４を通過可能とすることで、刻設した２箇所の係合溝を前記切欠き部１４を通して前記ステー保持孔１３に嵌合させることができる。更に、前記ステー１５の嵌合後、該ステー１５を軸心を中心として回転させることで、前記直交する係合溝が前記切欠き部１４から外れることとなり、前記ステー１５が前記切欠き部１４から抜落ちることなく前記ステーホルダ１１に保持される。
【００３０】
（付記）
又、本発明は以下の実施の態様を含む。
【００３１】
（付記１）電子機器を収納する筐体を備えた電子機器装置に於いて、前記筐体は電子機器を実装する筐体本体と、該筐体本体の開口部を開閉する扉とで構成され、前記筐体本体は受け部材を有し、前記扉は内面に固着され切欠きが形成された保持孔を有する保持部材と、該保持部材に保持可能であり、該保持部材と前記受け部材間に掛渡らせることで扉を開状態で固定可能な棒状の扉固定部材とを有し、該扉固定部材は前記保持部材に挿脱可能な係合溝を有し、該係合溝を前記切欠きを通して前記保持孔に係合させることで前記保持部材が前記扉固定部材を保持可能としたことを特徴とする電子機器装置。
【００３２】
（付記２）前記係合溝は前記扉固定部材の軸心に対して対称な２箇所に刻設され、前記係合溝を前記保持孔に嵌合させた後、前記扉固定部材を軸心を中心として回転させる付記１の電子機器装置。
【符号の説明】
【００３３】
１              筐体
２              筐体本体
３              扉
１１            ステーホルダ
１３            ステー保持孔
１４            切欠き部
１５            ステー
１８            細径部
【図１】
2012199459.tif 000003
【図２】
2012199459.tif 000004
【図３】
2012199459.tif 000005
【図４】
2012199459.tif 000006
【図５】
2012199459.tif 000007
【図６】
2012199459.tif 000008
【図７】
2012199459.tif 000009
【図８】
2012199459.tif 000010